(57)【要約】【課題】棒状物品の繰り出し容器を組み立てる工程において、中間筒に関する作業時間を短縮することができるように、繰り出し容器を改良する。【解決手段】棒状口紅等の棒状物品１を繰り出して使用するための容器２が、その径方向の外側から内側に向かって外筒６と内筒２５とキャリヤ３６とを有する。キャリヤ３６には棒状物品１が取り付けられる。内筒２５は、これと一体を成して外筒６の外側に位置する操作筒７を有する。外筒６と操作筒７との間には中間筒８を介在させる。中間筒８は、容器２の上下方向において、操作筒７よりも上方へ延びる上部と、操作筒７の内側へ進入する下部とを有し、その下部には内筒２５と中間筒８とをつなぐ連結部材４１がスナップ係合する。【選択図】図２
2007330326.tif 000002
【特許請求の範囲】
【請求項１】
上下方向と前記上下方向に直交する径方向とを有し、前記上下方向の上方に形成された開口から棒状物品を繰り出し可能なボディーと、前記ボディーに対して着脱可能に形成されていて前記開口を閉じることが可能な筒状のキャップとを有し、前記ボディーが前記上下方向へ延びる中心軸を共有して前記径方向における外側から内側に向かって順に配置された外筒と内筒と棒状物品キャリヤとを有し、前記外筒を固定して前記内筒をこれと一体を成していて前記外筒の外側に位置する操作筒の操作によって前記中心軸を中心に周方向へ回転させると、前記内筒の内側に納められていて前記棒状物品が取り付けられている前記棒状物品キャリヤが前記内筒に案内されて前記上下方向へ動いて前記開口から前記棒状物品を繰り出すことができる繰り出し容器であって、
前記径方向において、前記外筒と前記操作筒との間には、前記外筒を囲む周壁を備えた中間筒が介在し、前記中間筒は、前記周壁の上部が前記操作筒の上端よりも上方へ延びていて前記開口を閉じた前記キャップの内側へ進入して前記キャップの内周面に密着可能に形成される一方、前記周壁の下部が前記操作筒の内側へ進入して前記操作筒の内周面に密着しており、前記下部はさらに、前記内筒と前記中間筒とをつないでこれら両筒の一体的な回転を可能にし且つ前記中間筒の前記上下方向への動きを阻止する連結部材がスナップ係合していることを特徴とする前記繰り出し容器。
【請求項２】
前記中間筒の前記周壁の下部には前記スナップ係合に使用される複数の透孔が形成される一方、前記連結部材には前記中間筒の内側へ進入して前記内側から前記透孔にスナップ係合するフックが形成されている請求項１記載の繰り出し容器。
【請求項３】
前記連結部材には前記上方へ延びていて前記径方向へ弾性変形可能な複数のアームが形成されており、前記アームの上端部に前記フックが形成されている請求項２記載の繰り出し容器。
【請求項４】
前記操作筒と前記中間筒とが前記操作筒を外側にして前記上下方向から互いに嵌合可能に形成された多角形の筒であって且つ前記中間筒は円筒状を成す前記外筒にほぼ外接した状態にあり、前記連結部材の前記弾性アームが前記多角形における隅部近傍であって、前記中間筒と前記外筒との間に画成されるスペースに形成されている請求項１〜３のいずれかに記載の繰り出し容器。
【請求項５】
前記中間筒の前記周壁の下部には前記周壁の下端から前記上方へ延び、前記上方において前記周壁の周方向における幅が広くなる切り欠き部が形成される一方、前記連結部材には前記径方向へ弾性変形可能であり前記切り欠き部に前記径方向の内側および外側のいずれかからスナップ係合可能な弾性アームが形成されており、前記周壁の下部と前記弾性アームとの厚さがほぼ同じに形成されている請求項１記載の繰り出し容器。
【発明の詳細な説明】
【技術分野】
【０００１】
この発明は、棒状口紅等の棒状物品を繰り出して使用することが可能な容器に関する。
【背景技術】
【０００２】
従来、棒状口紅等の繰り出し容器であって、外筒を一方の手の指先で固定して内筒をもう一方の手で回転させると、内筒の内側にあって棒状口紅を取り付けられたキャリヤが上昇または下降し、上昇したときにはその棒状口紅が外筒の頂部開口から進出するものは周知である。なお、実際に内筒を回転させるには、外筒の外側に設けられている操作筒を指先で回転させる。この操作筒は、連結部材を介して内筒につながっている。
【０００３】
この種の繰り出し容器は、例えば特開２００３−１６４３２８号公報（特許文献１）に開示されている。この文献に記載の繰り出し容器では、外筒と操作筒との間に中間筒が介在しており、その中間筒は、内周面が内筒の外周面とかみ合っていて、内筒とともに回転することができる。また、中間筒の上方部分は、操作筒の上端よりも上方へ延びていて、繰り出し容器における筒状のキャップを閉じると、その上方部分がキャップの内側へ進入して、キャップ内周面に密着する。かかる中間筒は、キャップの開閉を繰り返しているときに、操作筒から抜け出ることがないように、溶着や接着等の手段によって操作筒に対して接合されている。
【０００４】
また、特開２００４−３３２９４号公報（特許文献２）に開示された繰り出し容器は、円筒状の外筒と、角筒状の操作筒とを有している。これら外筒と操作筒との間に介在する中間筒は、外筒に対して外接する部分が円筒状に形成されており、操作筒に対して内接する部分が角筒状に形成されている。繰り出し容器のキャップは、それを閉じるとキャップ内周面の一部分が中間筒における円筒状部分の外周面に密着する。かかる中間筒は、円筒状の外筒と角筒状の操作筒との間に生じるギャップを繰り出し容器の上方から塞ぐ作用をも有していて、操作筒の内周面に対しては溶着や接着等の手段によって接合されている。
【特許文献１】特開２００３−１６４３２８号公報
【特許文献２】特開２００４−３３２９４号公報
【発明の開示】
【発明が解決しようとする課題】
【０００５】
前記従来の繰り出し容器では、中間筒が操作筒に対して溶着や接着によって接合される。その溶着には、数秒の作業時間を要するのが普通であり、接着にはそれ以上の作業時間を要するのが普通である。そこで、この発明は、繰り出し容器に中間筒を組み込むときの作業時間を短縮することができるように、従来の繰り出し容器に改良を施すことを課題にしている。
【課題を解決するための手段】
【０００６】
前記課題を解決するために、この発明が対象とするのは、上下方向と前記上下方向に直交する径方向とを有し、前記上下方向の上方に形成された開口から棒状物品を繰り出し可能なボディーと、前記ボディーに対して着脱可能に形成されていて前記開口を閉じることが可能な筒状のキャップとを有し、前記ボディーが前記上下方向へ延びる中心軸を共有して前記径方向における外側から内側に向かって順に配置された外筒と内筒と棒状物品キャリヤとを有し、前記外筒を固定して前記内筒をこれと一体を成していて前記外筒の外側に位置する操作筒の操作によって前記中心軸を中心に周方向へ回転させると、前記内筒の内側に納められていて前記棒状物品が取り付けられている前記棒状物品キャリヤが前記内筒に案内されて前記上下方向へ動いて前記開口から前記棒状物品を繰り出すことができる繰り出し容器である。
【０００７】
かかる繰り出し容器において、この発明が特徴とするところは、次のとおりである。前記径方向において、前記外筒と前記操作筒との間には、前記外筒を囲む周壁を備えた中間筒が介在する。前記中間筒は、前記周壁の上部が前記操作筒の上端よりも上方へ延びていて前記開口を閉じた前記キャップの内側へ進入して前記キャップの内周面に密着可能に形成される一方、前記周壁の下部が前記操作筒の内側へ進入して前記操作筒の内周面に密着している。前記下部はさらに、前記内筒と前記中間筒とをつないでこれら両筒の一体的な回転を可能にし且つ前記中間筒の前記上下方向への動きを阻止する連結部材がスナップ係合している。
【０００８】
この発明の好ましい実施態様の一つにおいて、前記中間筒の前記周壁の下部には前記スナップ係合のために使用される複数の透孔が形成される一方、前記連結部材には前記中間筒の内側へ進入して前記内側から前記透孔にスナップ係合するフックが形成されている。
【０００９】
この発明の好ましい実施態様の他の一つにおいて、前記連結部材には前記上方へ延びていて前記径方向へ弾性変形可能な複数のアームが形成されており、前記アームの上端部に前記フックが形成されている。
【００１０】
この発明の好ましい実施態様の他の一つにおいて、前記操作筒と前記中間筒とが前記操作筒を外側にして前記上下方向から互いに嵌合可能に形成された多角形の筒であって且つ前記中間筒は円筒状を成す前記外筒にほぼ外接した状態にあり、前記連結部材の前記弾性アームが前記多角形における隅部近傍であって、前記中間筒と前記外筒との間に画成されるスペースに形成されている。
【００１１】
この発明の好ましい実施態様のさらに他の一つにおいて、前記中間筒の前記周壁の下部には前記周壁の下端から前記上方へ延び、前記上方において前記周壁の周方向における幅が広くなる切り欠き部が形成される一方、前記連結部材には前記径方向へ弾性変形可能であり前記切り欠き部に前記径方向の内側および外側のいずれかからスナップ係合可能な弾性アームが形成されており、前記周壁の下部と前記弾性アームとの厚さがほぼ同じに形成されている。
【発明の効果】
【００１２】
この発明に係る棒状物品の繰り出し容器では、中間筒と連結部材とをスナップ係合させるから、繰り出し容器の組立が簡単で、組立のための作業時間の短縮が可能になる。
【００１３】
中間筒の周壁の下部に透孔が形成され、連結部材にはその透孔へスナップ係合可能なフックが形成されている態様のこの発明では、中間筒の内側へ連結部材を進入させることで、中間筒と連結部材とをスナップ係合させることができる。
【００１４】
連結部材が弾性アームを有し、そのアームの上端部にフックが形成されている態様のこの発明では、アームを中間部材の内側へ進入させるときにアームが中間部材の径方向内側へ弾性変形することによって、中間部材に対してフックを簡単にスナップ係合させることができる。
【００１５】
操作筒と中間筒とが多角形のものであって、その多角形の角部近傍で中間筒と連結部材とがスナップ係合している態様のこの発明では、角筒である中間筒の隅部と丸筒である外筒との間に生じるスペースに連結部材の弾性アームを位置させることができるので、弾性アームの存在によって繰り出し容器の外形が大きくなるということがない。
【００１６】
中間部材の切り欠き部に連結部材のアームがスナップ係合し、そのアームと中間部材の周壁とがほぼ同じ厚さを有している態様のこの発明では、アームの存在によって繰り出し容器の外形が大きくなるということがない。
【発明を実施するための最良の形態】
【００１７】
添付の図面を参照して、この発明に係る棒状物品の繰り出し容器の詳細を説明すると、以下のとおりである。
【００１８】
図１は、口紅１を繰り出して使用する口紅容器２の斜視図であって、口紅１はこの発明における棒状物品の一例である。口紅容器２は、口紅１を繰り出し可能に収納しているボディー３と、ボディー３にかぶせられるキャップ４とで形成されている。図１では、互いに離間した状態にあるボディー３とキャップ４とが実線で示されており、ボディー３にかぶせられたキャップ４が仮想線で示されている。ボディー３は、円筒状の外筒６と、断面が正方形である角筒状の操作筒７と、これら両筒６，７間に介在するものではあるが後記するように操作筒７と一体となるように組み付けられている中間筒８とを有する。かかる口紅容器２は、一方の手で外筒６を固定するように持ち、もう一方の手で操作筒７を矢印Ｐで示す反時計方向へ回転させると、口紅１が上昇して口紅容器２からのぞき、矢印Ｐとは反対の方向へ回転させると、上昇していた口紅１が下降して、図示の状態になる。
【００１９】
図２は、図１のＩＩ−ＩＩ線切断面を示す図であって、ＩＩ−ＩＩ線は口紅容器２の中心線Ｃ−Ｃから操作筒７の一つの底辺１１ａと直交するように延びる線Ａと、操作筒７の一つの角部１２ａと交わるように延びる線Ｂとを含んでいる。図２では、中心線Ｃ−Ｃの左側に線Ａに沿った断面が示されており、右側に線Ｂに沿った断面が示されている。また、キャップ４は、ボディー３にかぶせられた状態で示されている。
【００２０】
図２において、外筒６は上端部１６と下端部１７とが開口している円筒状のもので、上端部１６は開口１８を有し、下端部１７は中間筒８の内側に納まっている。外筒６はまた、その内周面に対して固定された螺旋筒２１を含むもので、螺旋筒２１の内周面には、径方向において互いに向かい合う二条の並行する螺旋溝２２が形成されている。螺旋筒２１の内側には、内筒２５が螺旋筒２１の周方向へ回転可能な状態で納められている。
【００２１】
内筒２５は、上下両端部２６，２７と円筒状の周壁３１とを有し、上端部２７の開口２８は、外筒６の開口１８とほぼ同じ径を有している。周壁３１には、開口２８から下端部２７の近傍にまで延びていて、内筒２５の径方向において互いに向かい合う一対の切り欠き部３２（図１参照）が形成されている。内筒２５の内側には、口紅１をその下端部において支持するキャリヤ３６が納められている。
【００２２】
キャリヤ３６は、円筒状の本体部分３６ａと本体部分３６ａから水平に径方向外側に向かって延びる一対の突出部３６ｂを有し、その一対の突出部３６ｂは、互いに反対方向に延びている。突出部３６ｂのそれぞれは、内筒２５の切り欠き部３２を上下方向へ摺動可能に通り抜けて、一対の螺旋溝２２のそれぞれに溝の長さ方向へ摺動可能に納まっている。
【００２３】
ボディー３の下方部分において、内筒２５における下端部２７の外側には、環状のばね部材３８が内筒２５に対してその周方向へ回転することがないように嵌合している。ばね部材３８は、内筒２５の下端部側フランジ２７ａによって下方から支えられる一方、螺旋筒２１を下方から支えている。その螺旋筒２１の上端部２１ａは、ばね部材３８の付勢下に内筒２５の上端部側フランジ２６ａに下方から当接している。内筒２５の下端部２７の外側にはまた、円筒状周壁部４１ａと上方フランジ４１ｂとを有する連結部材４１が下端部２７の周方向へ回転することがないように嵌合している。かような嵌合は、内筒２５の外周面に周方向へ交互に形成されている凸部２５ａと凹部２５ｂ（図３参照）とを連結部材４１の内周面に周方向へ交互に形成されている凹部４１ｄと凸部４１ｅ（図３参照）とにかみ合わせることによって可能になる。連結部材４１の上方フランジ４１ｂには、上方へ延びる弾性アーム４２が形成されていて、そのアーム４２の先端に形成されたフック５１が中間筒８に係合している（図３参照）。その中間筒８の外側には操作筒７が嵌合している。これら内筒２５、連結部材４１、操作筒７のそれぞれには、中心線Ｃ−Ｃを共有する下部開口２９，４３，４４が形成されている。これら下部開口２９，４３，４４には、操作筒７の底部外側から円筒状固定部材４６が挿入されている。
【００２４】
固定部材４６は、上方フランジ４６ａと下方フランジ４６ｂとによって、下部開口２９の周縁部と下部開口４３の周縁部とを図の上下方向から挟むように保持している。それと同時に、固定部材４６の周壁部４６ｃの外面は、その外面の周方向へ間欠的に形成されている凹部４６ｅと凸部４６ｆ（図３参照）とが操作筒７における凸部５６ａと凹部５６ｂとにかみ合うことによって、操作筒７と、中間筒８と、連結部材４１と、内筒２５と、キャリヤ３６とが同時に回転できるように一体になっている。なお、操作筒７の底部内面と連結部材４１の底部外面との間には、容器１の重量を調整するための金属製バランサー４７が組み込まれている。
【００２５】
かように形成されている図２の容器２では、ボディー３からキャップ４を外した後に、一方の手で外筒６を持ってこれを固定し、もう一方の手に持った操作筒７を中心線Ｃ−Ｃを中心に矢印Ｐ方向へ回転させると、内筒２５が螺旋筒２１の内側で矢印Ｐ方向へ回転する。その回転によって、中心線Ｃ−Ｃの左側に示されたキャリヤ３６は、その突出部３６ｂが螺旋溝２２を昇り始めて中心線Ｃ−Ｃの右側に示された状態となり、キャリヤ３６に支持されている口紅１が内筒２５の内側を上昇して開口２８，１８から外にのぞく。
【００２６】
図３は、容器１における一部分の分解組立図である。図の上方には、外筒６と内筒２５とキャリヤ３６とばね部材３８との組立体である中間組立体５０が示されている。中間組立体５０の下方には、組立てられるべき中間筒８、連結部材４１、操作筒７、固定部材４６が示されている。中間筒８は、断面が正方形の角筒であって、頂面部５２と四つの周壁部５３ａ，５３ｂ，５３ｃ，５３ｄとを有する。頂面部５２には円孔５４が形成されており、周壁部５３ａと５３ｃとにおける中間筒８の下部８ｃには透孔５５が２つずつ形成されている。円孔５４には、中間組立体５０を図の上方から通すことができる。連結部材４１は、円筒状周壁部４１ａの内側に中間組立体５０の下端部分を納めることができる。周壁部４１ａの内周面には凹部４１ｄと凸部４１ｅとが周り方向に交互に形成されている。これら凹部４１ｄと凸部４１ｅとのうちの凸部４１ｅは、周壁部４１ａの内側に納められる内筒２５に形成された凹部２５ｂとかみ合う。周壁部４１ａの下端部分には、中間組立体５０を下から支える下方フランジ４１ｃが形成されている。下方フランジ４１ｃの内側には下部開口４３が形成されている。上方フランジ４１ｂは、中間筒８の頂面部５２と同じ程度の大きさを有している。上方フランジ４１ｂにおける各隅部の近傍には、中間筒８に向かって上方へ延びる弾性アーム４２が形成されている。
【００２７】
操作筒７もまた断面が正方形の角筒であって、周壁部５２ａ，５２ｂ，５２ｃ，５２ｄと底部５８とを有し、周壁部５２ａ〜５２ｄによって四角形の上部開口５９が形成され、底部５８の中央には下部開口４４が形成されている。下部開口４４の周縁には上方へ延びる円筒状周壁部５６が形成されており、周壁部５６の内周面には凸部５６ａと凹部５６ｂとが周方向へ交互に形成されている。上部開口５９は、連結部材４１と中間筒８とを進入させることができる大きさに作られていて、進入した中間筒８は、操作筒７の内周面に密着し、連結部材４１の下面は、操作筒７に納められているバランサー４７に当接して、その進入が止まる。
【００２８】
固定部材４６は、その径が小さくなるように径方向内側へ弾性的に変形させながら操作筒７の下部開口４４へ進入させることができる。その変形が容易となるように、周壁部４６ｃには、上方フランジ部４６ａから下方へ延びる切り欠き部４６ｄが形成されている。周壁部４６ｃでは、凹部４６ｅと凸部４６ｆとが周方向において交互に並んでいる。
【００２９】
図３において、中間筒８の内側に連結部材４１を下方から進入させると、連結部材４１のアーム４２のそれぞれが中間筒８の内周面に圧接して中間筒８の内側に向かって弾性変形する。そのまま連結部材４１の進入を続けると、アーム４２の先端に形成されているフック５１のそれぞれが中間筒８に形成されている透孔５５のそれぞれに嵌合して、連結部材４１が中間筒８に対してスナップ係合する。その係合とほぼ同時に、連結部材４１の上方フランジ４１ｂが中間筒８の下端に当接して、連結部材４１の進入が停止する。かように係合している中間筒８と連結部材４１とは、互いに回転することもなければ、上下方向へ動くこともないように一体化している。中間組立体５０を図の上方から中間筒８の円孔５４へ進入させると、内筒２５に形成されている凸部２５ａと凹部２５ｂとのそれぞれが連結部材４１の凹部４１ｄと凸部４１ｅとのそれぞれとかみ合う。さらに、操作筒７を図の下方から中間筒８に嵌合させると、操作筒７の内周面と中間筒８の外周面とが密着し、連結部材４１の下端がバランサー４７に当接する。さらに続けて、固定部材４６を図の下方から操作筒７の下部開口４４へ進入させると、固定部材４６の上方フランジ４６ａが内筒２５の下部開口２９を通り抜けて図２の状態となり、容器２におけるボディー３の組立が完了する。なお、口紅１は、このような組立工程における適宜の段階でキャリヤ３６に対してセットされる。
【００３０】
かように形成されている容器２において、中間筒８が操作筒７よりも上方へ延びている中間筒８の上部８ｂの外周面には、キャップ４の内周面にスナップ係合させるための突起８ａ（図１参照）が形成されている。また、そのキャップ４の隅部には、キャップ４をボディー３にかぶせたときに中間筒８の角部に上方から当接可能なストッパー部４ａ（図２参照）が形成されている。容器２ではまた、内筒２５と中間筒８とが一体となって回転するようにこれら両筒２５，８の間に介在する連結部材４１が、内筒２５に対しては周壁部どうしがかみ合うことによってつながり、中間筒８に対しては弾性アーム４２を介してのスナップ係合によってつながるから、溶着や接着を使用する容器の組立に比べると、容器２はその組立が簡単かつ迅速になる。ちなみに、連結部材４１を中間筒８にスナップ係合させる作業時間は、１秒以下にすることが可能である。弾性アーム４２は連結部材４１における上方フランジ１４ｂの任意の位置に形成することができるものではあるが、図示例の如く弾性アーム４２が円筒状の外筒２６と角筒状の中間筒８の隅部との間に生じるスペースＳ（図２参照）に存在するように形成されていると、容器２は弾性アーム４２の存在によって外形寸法が大きくなるということがない。
【００３１】
図４，５は、この発明の実施態様の一例を示す中間筒８と連結部材４１との斜視図と、図４のＶ−Ｖ線断面図である。中間筒８には、周壁部５３ａと５３ｃとに透孔５５に代わるＴ字形の切り欠き部１５５が形成されている。連結部材４１には、その切り欠き部１５５の形状に符合するＴ字形の弾性アーム１４２が形成されている。弾性アーム１４２は、頭部１４２ａと脚部１４２ｂとを有し、これらが中間筒８の内側へ進入するときには、弾性アーム１４２の一部分が中間筒８の内面に接触して脚部１４２ｂが中間筒８の内側に向かって弾性変形する。連結部材４１の上方フランジ４１ｂが中間筒８の下端に当接する直前になると、切り欠き部１５５と弾性アーム１４２との位置が一致して、弾性変形していたアーム１４２が復元する方向へ動きながら切り欠き部１５５に嵌合し、連結部材４１が中間筒８にスナップ係合する。図５では、中間筒８が実線で示されていて、これにスナップ係合した連結部材４１の弾性アーム１４２が仮想線で示されている。図５において明らかなように、切り欠き部１５５は、周壁部５３ａにおける開口面積が中間筒８の内側から外側に向かって狭くなるように、周縁部分が周壁部５３ａの厚さ方向において傾斜している。弾性アーム１４２は、そのような形状の切り欠き部１５５に中間筒８の内側からスナップ係合し得るように、図示の如く頭部１４２ａと脚部１４２ｂとの縁部に傾斜がつけられている。また、切り欠き部１５５と弾性アーム１４２とは、中間筒８の周方向において下方よりも上方で幅が広くなるように形成されている。それゆえ、このような切り欠き部１５５に弾性アーム１４２が嵌合している状態の中間筒８と連結部材４１とは、互いに回転することもなければ上下方向へ動くこともない。また、中間筒８の周壁部５３ａと弾性アーム１４２とは、図５に示されているように、それぞれの厚さをほぼ同じにすることができる。この弾性アーム１４２であれば、それが連結部材４１の上方フランジ４１ｂにおいて隅部以外の部位に設けられていても、弾性アーム１４２の存在によって容器２の外形が大きくなるということがない。中間筒８と弾性アーム１４２とは、図示例に代えて、中間筒８に対してその外側から弾性アーム１４２がスナップ係合する態様のものに代えることもできる。また、図示例の中間筒８と連結部材４１とを断面が円形のものに代え、それに付随して操作筒７を断面が円形のものに代えることもできる。
【産業上の利用可能性】
【００３２】
この発明によれば、棒状物品の繰り出し容器の組立時間を短縮することが可能になる。
【図面の簡単な説明】
【００３３】
【図１】繰り出し容器の斜視図。
【図２】図１のＩＩ−ＩＩ線断面図。
【図３】繰り出し容器の部分分解組立図。
【図４】実施態様の一例を示す中間筒と連結部材との斜視図。
【図５】図４のＶ−Ｖ線断面図。
【符号の説明】
【００３４】
１    棒状物品
２    繰り出し容器
３    ボディー
４    キャップ
６    外筒
７    操作筒
８    中間筒
８ｂ    上部
８ｃ    下部
２５    内筒
３６    キャリヤ
４１    連結部材
４２    アーム
５１    フック
５５    透孔
１４２    弾性アーム
１５５    切り欠き部
Ｃ−Ｃ    中心軸
Ｓ    スペース
【図１】
2007330326.tif 000003
【図２】
2007330326.tif 000004
【図３】
2007330326.tif 000005
【図４】
2007330326.tif 000006
【図５】
2007330326.tif 000007